(57)【要約】【課題】家電製品毎に電気の使用量を計量することで、どの家電製品が前月より多く使用され、又は無駄な使用がされているかどうかを詳細に把握することができ、その内容を帳票に詳細に表示することで、需要家が節電意識の向上を図る。【解決手段】各分電用遮断器３に、需要家に備えられたエアコン、ＩＨコンロ、電気温水器、電子レンジなど個々の家電製品とコンセントにおける個別の電気使用量を計量する個別計量器４をそれぞれ設け、主遮断器２に接続した電力量計５で、需要家における全体の電気使用量を計量すると共に、個別計量器４により、各分電用遮断器３毎の個々の家電製品の電気使用量を計量するように構成した。【選択図】図１
2011055565.tif 000002
【特許請求の範囲】
【請求項１】
主遮断器（２）と複数の分電用遮断器（３）とを有する分電盤（１）であって、
各分電用遮断器（３）に、需要家に備えられたエアコン、ＩＨコンロ、電気温水器、電子レンジなど個々の家電製品とコンセントにおける個別の電気使用量を計量する個別計量器（４）をそれぞれ設け、
前記主遮断器（２）に接続した電力量計（５）で、前記需要家における全体の電気使用量を計量すると共に、
前記個別計量器（４）により、各分電用遮断器（３）毎の個々の家電製品の電気使用量を計量するように構成した、ことを特徴とする個別計量機能を備えた分電盤。
【請求項２】
前記分電盤（１）に、前記個別計量器（４）の測定信号を送信する発信機（６）を設け、
需要家の屋外に備える計器ボックス（７）に、前記発信機（６）からの測定信号を受信する受信機（８）を設け、
前記分電用遮断器（３）が検知する家電製品毎の電気使用量を、前記計器ボックス（７）に表示するように構成した、ことを特徴とする請求項１の個別計量機能を備えた分電盤。
【請求項３】
前記分電用遮断器（３）は、キッチンにおけるＩＨコンロ、電子レンジ、冷蔵庫の１群（Ａ）、リビングに設備したエアコン、照明灯とコンセントの１群（Ｂ）、各居室におけるエアコン、照明灯とコンセントの１群（Ｃ，Ｄ，Ｅ）、及び電気温水器（Ｆ）の１群毎に検知をする共に、それぞれの個別計量器（４）で電気使用量を個別に計量する、ことを特徴とする請求項１の個別計量機能を備えた分電盤。
【請求項４】
前記分電用遮断器（３）は、エアコンの１群（Ｍ）、ＩＨコンロ（Ｎ）、電気温水器（Ｏ）、電子レンジ（Ｐ）、冷蔵庫（Ｑ）のような季節に応じて電気使用量が極端に変化する家電製品毎の１群毎に検知をする共に、それぞれの個別計量器（４）で電気使用量を個別に計量する、ことを特徴とする請求項１の個別計量機能を備えた分電盤。
【請求項５】
前記分電用遮断器（３）は、個々のエアコン毎、電気温水器、電子レンジ、冷蔵庫、１居室内の照明灯、１居室内のコンセント群のように細かく分けて家電製品毎の検知をする共に、それぞれの個別計量器（４）で電気使用量を個別に計量する、ことを特徴とする請求項１の個別計量機能を備えた分電盤。
【請求項６】
需要家における月単位の電気使用量を通知するために、需要家の氏名、名称等の情報（２２）、契約番号・契約種別（２３）、電気使用量・請求予定額（２４）、前月の領収金額（２５）等の内容が記載された帳票（２１）であって、
電力量計（５）で測定した全体の電気使用量を記載する全体使用量欄（２４）の他に、
分電盤（１）における分電用遮断器（３）の個別計量器（４）で計量した、需要家に備えられたエアコン、ＩＨコンロ、電気温水器、電子レンジなど個々の家電製品とコンセントにおける電気使用量を個別に記載する個別使用量欄（２６）を設けた、ことを特徴とする個別の使用量が記載された帳票。
【請求項７】
前記個別使用量欄（２６）に、キッチンにおけるＩＨコンロ、電子レンジ、冷蔵庫の１群、リビングに設備したエアコン、照明灯とコンセントの１群、各居室におけるエアコン、照明灯とコンセントの１群及び電気温水器の１群毎の電気使用量を個別に記載した、ことを特徴とする請求項６の個別の使用量が記載された帳票。
【請求項８】
前記個別使用量欄（２６）に、エアコンの１群、電気温水器、電子レンジ、冷蔵庫のような季節に応じて電気使用量が極端に変化する家電製品毎の電気使用量を個別に記載した、ことを特徴とする請求項６の個別の使用量が記載された帳票。
【請求項９】
前記個別使用量欄（２６）に、個々のエアコン毎、電気温水器、電子レンジ、冷蔵庫、１居室内の照明灯と１居室内のコンセント群のように細かく分けて家電製品毎の電気使用量を個別に記載した、ことを特徴とする請求項６の個別の使用量が記載された帳票。
【請求項１０】
前記個別使用量欄（２６）に、家電製品毎について前月と今月の電気料金のピークとの差、前月と今月の電気使用量のピークとの差、家電製品毎の１日負荷曲線のような電力使用に関する変化情報を更に記載した、ことを特徴とする請求項６，７，８又は９の個別の使用量が記載された帳票。
【発明の詳細な説明】
【技術分野】
【０００１】
本発明は、主遮断器、分電用遮断器等から成る分電盤と「電気使用量のお知らせ」と称される帳票に係り、特に家庭内で使用する個々の家電製品毎の電気使用量を計量できる個別計量機能を備えた分電盤と、その使用量の詳細を容易に把握することができる個別使用量が記載された帳票に関する。
【０００２】
従来の分電盤５１は、図７の概略説明図に示すように、主遮断器５２と、この主遮断器５２に接続した複数の分電用遮断器５３・・・により構成されている。全回路の過電流に対しては主遮断器５２により電流の自動遮断を行い、各分電回路の過電流に対しては各分電用遮断器５３により電流の自動遮断を行う。遮断に対する復帰動作は手動により行う。建物内の配線や電気器具の漏電、例えば１５〜３０ｍＡ程度の漏電を素早く感知し、電気容量のチェックや屋内配線の安全確保に寄与している。
【０００３】
分電盤５１は、例えば家電製品等の電気器具やコードの故障で短絡した時や、使い過ぎにより過電流が流れた場合に電気を自動的に遮断する。回路の設定を照明用・コンセント用に分け、エアコンなどの大型電気器具は専用回路にすることで、異常時の影響を少なくすることができる。
【０００４】
分電盤５１において電気使用量を容易に知ることができる技術としては、特許文献１の特許第２５４１０４９号公報「電気使用量計量部付ブレーカを備えた分電盤および外部出力装置」のように、メインブレーカおよび複数の回路ブレーカはそれぞれ計量部と、使用電力量が所定値を超えた場合に警報で報知する報知部とを備え、測定データは同じ分電盤に配置された集中管理装置により記録され、測定データは外部出力装置の表示部で確認できる分電盤が提案されている。
【特許文献１】特開２００６−２４６６８４
【０００５】
また、各需要家の電気使用量について、例えば毎月検針員が屋外の計器ボックスのメータを見てその検針結果を現場でハンディターミナルに入力し、ハンディプリンタで印刷している。このプリンタＨＰで印刷した帳票「電気ご使用量のおしらせ」を、ポスト等に投函して各需要家へ通知している。
【０００６】
この「電気ご使用量のお知らせ」の帳票６１の印刷面には、図８の説明図に示すように、例えば紙面の左半分に需要家の氏名、名称等の情報６２、契約番号・契約種別６３、電気使用量・請求予定額６４、今月指示数６５、前月指示数６６、メータ番号６７及び電力会社の取扱店名、検針員名等が印刷されている。一方、紙面の右半分は、電気料金口座振替済領収証部分であり、需要家の氏名、名称等の情報６２、契約番号・契約種別６３、前月の領収金額６８等の内容が記載されている。
【０００７】
需要家は、電力会社から通知される「電気ご使用量のお知らせ」の帳票６１に記載されている当月の電気使用量を参考にして、どの程度の電力を使用しているのかを把握している。無駄に電気を使用していないかどうかを判断して電気使用量を減らすことに努めている。その際に、「電気ご使用量のお知らせ」の帳票６１における、今月の請求予定額６４と、前月の領収金額６８とを比較する。更に、前月指示数６５と今月指示数６６の差を比較することで、需要家における電気使用量の状況を把握することができる。
【発明の開示】
【発明が解決しようとする課題】
【０００８】
上記の従来の分電盤５１では、各分電用遮断器５３毎の電気使用量を計量しても、エアコン等の空調用の各分電用遮断器５３、照明灯用の各分電用遮断器５３、その他コンセント用といった大まかな分け方であった。これでは電気の無駄な使用がされているかどうかの判断は可能である。しかし、この分電盤５１ではどの部屋のどの家電製品に無駄な使用がされていたかどうかについて詳細な判断はできないという問題を有していた。
【０００９】
また、上記の従来の帳票６１の印刷面情報では、具体的な電気使用量が明らかではない。例えば、エアコン、ＩＨコンロ、電気温水器、電子レンジ、テレビ、ビデオ、パソコン、洗濯機、冷蔵庫、照明灯のような様々な家電製品のどれについて無駄な電気を使用しているのか一見して判断できなかった。実際、何に電気を多く使っているのかが、電気使用量の合計額だけでは、需要家は判断できないという問題を有していた。
【００１０】
需要家は、家庭内でどの家電製品に電気の無駄な使用がされているのかが把握できないと、節電の方向性を定めることができなかった。そこで、需要家は電気使用量の合計、その使用金額に加えて、どの家電製品が前月より多く使用、又は無駄な使用がされているのかどうかを詳細に把握できる「電気ご使用量のお知らせ」の帳票５１の提案を要望していた。
【００１１】
本発明は、かかる問題点を解決するために創案されたものである。すなわち、本発明の目的は、家電製品毎に電気の使用量を計量することで、どの家電製品が前月より多く使用され、又は無駄な使用がされているかどうかを詳細に把握することができ、その内容を帳票に詳細に表示することで、需要家が節電意識の向上を図ることができる個別計量機能を備えた分電盤及び個別の使用量が記載された帳票を提供することにある。
【課題を解決するための手段】
【００１２】
本発明の分電盤によれば、主遮断器（２）と複数の分電用遮断器（３）とを有する分電盤（１）であって、各分電用遮断器（３）に、需要家に備えられたエアコン、ＩＨコンロ、電気温水器、電子レンジなど個々の家電製品とコンセントにおける個別の電気使用量を計量する個別計量器（４）をそれぞれ設け、前記主遮断器（２）に接続した電力量計（５）で、前記需要家における全体の電気使用量を計量すると共に、前記個別計量器（４）により、各分電用遮断器（３）毎の個々の家電製品の電気使用量を計量するように構成した、ことを特徴とする個別計量機能を備えた分電盤が提供される。
例えば、前記分電盤（１）に、前記個別計量器（４）の測定信号を送信する発信機（６）を設け、需要家の屋外に備える計器ボックス（７）に、前記発信機（６）からの測定信号を受信する受信機（８）を設け、前記分電用遮断器（３）が検知する家電製品毎の電気使用量を、前記計器ボックス（７）に表示するように構成することができる。
【００１３】
前記分電用遮断器（３）は、キッチンにおけるＩＨコンロ、電子レンジ、冷蔵庫の１群（Ａ）、リビングに設備したエアコン、照明灯とコンセントの１群（Ｂ）、各居室におけるエアコン、照明灯とコンセントの１群（Ｃ，Ｄ，Ｅ）、及び電気温水器（Ｆ）の１群毎に検知をする共に、それぞれの個別計量器（４）で電気使用量を個別に計量する。
前記分電用遮断器（３）は、エアコンの１群（Ｍ）、ＩＨコンロ（Ｎ）、電気温水器（Ｏ）、電子レンジ（Ｐ）、冷蔵庫（Ｑ）のような季節に応じて電気使用量が極端に変化する家電製品毎の１群毎に検知をする共に、それぞれの個別計量器（４）で電気使用量を個別に計量する。
前記分電用遮断器（３）は、個々のエアコン毎、電気温水器、電子レンジ、冷蔵庫、１居室内の照明灯、１居室内のコンセント群のように細かく分けて家電製品毎の検知をする共に、それぞれの個別計量器（４）で電気使用量を個別に計量する。
【００１４】
本発明の帳票によれば、需要家における月単位の電気使用量を通知するために、需要家の氏名、名称等の情報（２２）、契約番号・契約種別（２３）、電気使用量・請求予定額（２４）、前月の領収金額（２５）等の内容が記載された帳票（２１）であって、電力量計（５）で測定した全体の電気使用量を記載する全体使用量欄（２４）の他に、分電盤（１）における分電用遮断器（３）の個別計量器（４）で計量した、需要家に備えられたエアコン、ＩＨコンロ、電気温水器、電子レンジなど個々の家電製品とコンセントにおける電気使用量を個別に記載する個別使用量欄（２６）を設けた、ことを特徴とする個別の使用量が記載された帳票が提供される。
【００１５】
例えば、前記個別使用量欄（２６）に、キッチンにおけるＩＨコンロ、電子レンジ、冷蔵庫の１群、リビングに設備したエアコン、照明灯とコンセントの１群、各居室におけるエアコン、照明灯とコンセントの１群及び電気温水器の１群毎の電気使用量を個別に記載した。
前記個別使用量欄（２６）に、エアコンの１群、電気温水器、電子レンジ、冷蔵庫のような季節に応じて電気使用量が極端に変化する家電製品毎の電気使用量を個別に記載した、ことを特徴とする請求項６の個別の使用量が記載された帳票。
前記個別使用量欄（２６）に、個々のエアコン毎、電気温水器、電子レンジ、冷蔵庫、１居室内の照明灯と１居室内のコンセント群のように細かく分けて家電製品毎の電気使用量を個別に記載した。
前記個別使用量欄（２６）に、家電製品毎について前月と今月の電気料金のピークとの差、前月と今月の電気使用量のピークとの差、家電製品毎の１日負荷曲線のような電力使用に関する変化情報を更に記載することができる。
【発明の効果】
【００１６】
本発明の構成の分電盤では、分電用遮断器（３）単位又は家電製品群の単位で電気使用量を計量し、測定結果を分電盤（１）および計器ボックス（７）等において表示するので、個別の電気使用量を容易に確認することができる。分電用遮断器（３）毎に家電製品の電気使用量が確認できるので、電力遮断を簡単に予防することができ。
個別に電気使用量を把握することで、過負荷によるブレーカ動作の故障件数を減少させることができる。
【００１７】
特に、個別の電気使用量について、リビング、キッチン、各居室といった部屋単位で測定することにより、詳細な個別の使用量を把握することができる。または、季節に応じて電気使用量が極端に変化する家電製品、例えばエアコン、電気温水器、電子レンジ、冷蔵庫毎に測定することにより、詳細な個別の使用量を把握することができる。更に、家電製品個別について測定することにより、より詳細な個別の使用量を把握することができる。
【００１８】
本発明の構成の帳票では、電力量計（５）で計量した全体の電気使用量を記載する全体使用量欄（２４）の他に、分電盤（１）における分電用遮断器（３）の個別計量器（４）で計量した、需要家に備えられたエアコン、ＩＨコンロ、電気温水器、電子レンジなど個々の家電製品とコンセントにおける個別の電気使用量を記載する個別使用量欄（２６）を設けたので、需要家が電気使用量を具体的に把握することにより、節電意識の向上に寄与することができる。
【図面の簡単な説明】
【００１９】
【図１】本発明の分電盤と屋外計器ボックスとを示す概略説明図である。
【図２】実施例１の個別計量機能を備えた分電盤を示す概略説明図である。
【図３】実施例１の個別計量機能を備えた分電盤のキッチンとリビングの配線図の一例である。
【図４】実施例１の別の使用量が記載された帳票を示す説明図である。
【図５】実施例２の個別計量機能を備えた分電盤を示す概略説明図である。
【図６】実施例２の個別の使用量が記載された帳票を示す説明図である。
【図７】従来の分電盤を示す概略説明図である。
【図８】従来の帳票を示す説明図である。
【発明を実施するための最良の形態】
【００２０】
本発明の個別計量機能を備えた分電盤は、家庭内で使用する個々の家電製品における個別の電気使用量を計量する個別計量器を備え、主遮断器に接続した電力量計で、全体の電気使用量を計量し、個別計量器による各分電用遮断器毎の電気使用量を計量するように構成したものである。
【００２１】
以下、本発明の好ましい実施の形態を図面を参照して説明する。
図１は本発明の分電盤と屋外計器ボックスとを示す概略説明図である。
本発明の個別計量機能を備えた分電盤１は、主遮断器２と複数の分電用遮断器３とを有する。各分電用遮断器３に、需要家に備えられたエアコン、ＩＨコンロ、電気温水器、電子レンジなど個々の家電製品とコンセントの電気使用量を個別に計量する個別計量器４を設けた。電力量計５と個別計量器４の測定信号は、例えば発信機６で送信し、屋外に備えた計器ボックス７の受信機８でこの測定信号を受信する。勿論無線ではなく有線を用いることもできる。
【００２２】
主遮断器２に接続した電力量計５で、全体の電気使用量を計量する。更に、本発明では個別計量器４による各分電用遮断器３毎の電気使用量を計量することにより、分電用遮断器３が検知しようとする家電製品毎の電気使用量を計量する。勿論、分電用遮断器３は、家電製品、コンセントやコードの故障で短絡したとき、または使い過ぎて過電流が流れた場合に電気を自動的に遮断する。全回路の過電流に対しては主遮断器２により電流の自動遮断を行う。なお、図示例の分電盤１は１個の主遮断器２と１２個の分電用遮断器３を設けた概略図を示しているがこの個数に限定されない。
【実施例１】
【００２３】
図２は実施例１の個別計量機能を備えた分電盤を示す概略説明図である。図３は実施例１の個別計量機能を備えた分電盤のキッチンとリビングの配線図の一例である。
実施例１の個別計量機能を備えた分電盤１では、分電用遮断器３は、キッチンにおけるＩＨコンロ、電子レンジ、冷蔵庫の１群（Ａ）、リビングで使用するエアコン、照明灯とコンセントの１群（Ｂ）、各居室におけるエアコン、照明灯とコンセントの１群（Ｃ，Ｄ，Ｅ）及び電気温水器の１群（Ｆ）毎の検知をするように構成した。それぞれの個別計量器４で個別の電気使用量を計量し、上述するように発信機６と受信機８で屋外に備えた計器ボックス７に測定信号を送信する。
【００２４】
分電盤１は、図３に示すように、単相３線分電盤ではキッチン（Ａ）に関する分電用遮断器３でも冷蔵庫は１００ボルト、ＩＨコンロ、電子レンジは２００ボルトの負荷のものに分岐する。同様に、リビング（Ｂ）に関する分電用遮断器３でも照明灯、コンセントは１００ボルトで、エアコンは２００ボルトの負荷のものに分岐する。
【００２５】
実施例１では、分電用遮断器３単位の１群で電気使用量を計量し、その計量結果を分電盤１、計器ボックス７等において表示するので、個別の電気使用量を容易に確認することができる。分電用遮断器３毎の使用量が確認できるので、電力遮断を簡単に予防することができ。
【００２６】
特に、個別の電気使用量について、リビング、キッチン、各居室といった部屋単位（１群）で計量することにより、個別の詳細な使用量を把握することができる。例えば、居室において、エアコン或いは照明灯などの付けっ放しによる無駄な電気使用が容易に判明する。キッチンにおいては、冷蔵庫の冷却能力の低下などが容易に判明する。更には、個別に電気使用量を把握することで、過負荷によるブレーカ動作の故障件数を減少させることができる。
【００２７】
図４は実施例１の個別の使用量が記載された帳票を示す説明図である。
本発明の帳票２１は、需要家の氏名、名称等の情報２２、契約番号・契約種別２３、全体の電気使用量・請求予定額２４、前月の領収金額２５等の内容が記載された印刷物であり、需要家における月単位の電気使用量を通知するものである。本発明の帳票２１には、電力量計５で計量した全体の電気使用量を記載する全体使用量欄（電気使用量・請求予定額２４）の他に個別使用量欄２６を設けている。この個別使用量欄２６は、分電盤１における分電用遮断器３の個別計量器４で計量した、需要家に備えられたエアコン、ＩＨコンロ、電気温水器、電子レンジなど個々の家電製品とコンセントにおける個別の電気使用量を記載する欄である。
【００２８】
図４の帳票２１における個別使用量欄２６には、キッチンにおける「今月の指示数」、「前月の指示数」及び「使用量」が記載されている。同様にリビング、温水器、居室１、居室２、居室３について記載されている。なお、この帳票２１は記載例の一例であり、この記載内容に限定されない。
【００２９】
この個別使用量欄２６に記載した今月の指示数、前月の指示数及び使用量は、キッチンにおけるＩＨコンロ、電子レンジ、冷蔵庫の１群（Ａ）、リビングに設備したエアコン、照明灯とコンセントの１群（Ｂ）、各居室におけるエアコン、照明灯とコンセントの１群（Ｃ，Ｄ，Ｅ）及び電気温水器（Ｆ）の１群毎の個別の電気使用量に関するものである。なお、各１群における組み合わせは一例であり、この組み合わせ内容に限定されない。
【００３０】
このように電力量計５で測定した全体の電気使用量を記載する全体使用量欄（電気使用量・請求予定額２４）の他に、分電盤１における分電用遮断器３の個別計量器４で計量した、エアコン、ＩＨコンロ、電気温水器、電子レンジなど個々の家電製品とコンセントにおける個別の電気使用量を記載した個別使用量欄２６を有する。この帳票２１から需要家は電気使用量を具体的に把握することができ、節電意識の向上に寄与することができる。
【００３１】
この帳票２１には、家電製品毎について前月と今月の電気料金のピークとの差、前月と今月の電気使用量のピークとの差、更には家電製品毎の１日負荷曲線を記載することができる（図示していない）。このような詳細な使用状況を示すデータを種々記載することで、使用の節約の必要性を類推させることも可能である。
【実施例２】
【００３２】
図５は実施例２の個別計量機能を備えた分電盤を示す概略説明図である。
実施例２の個別計量機能を備えた分電盤１は、エアコンの１群（Ｍ）、ＩＨコンロ（Ｎ）、電気温水器（Ｏ）、電子レンジ（Ｐ）、冷蔵庫（Ｑ）のような季節に応じて電気使用量が極端に変化する家電製品毎の検知をする共に、それぞれの個別計量器４で個別の電気使用量を計量する。例えば、夏季の暑い時期は、エアコンの「冷房」、「ドライ機能」を長時間使用する傾向にある。夜通し冷房する機会も多い。このようなときは、エアコンの電気使用量が極端に増大する。冷蔵庫もドアの開閉回数が多くなり、電気使用量が増大することがある。逆に、冬季では電気温水器に給水される水温が低いため夏季に比べて、電気使用量が増大することがある。
【００３３】
一方、季節に応じて電気使用量が極端に変化しない家電製品については、照明灯の１群（Ｒ）とコンセントの１群（Ｓ）については、それぞれまとめて個別計量器４で電気使用量を個別に計量する。
【００３４】
このように季節に応じて電気使用量が極端に変化する家電製品、例えばエアコン、電気温水器、電子レンジ、冷蔵庫毎に測定することで、詳細な個別の使用量を把握することができる。季節単位で節電意識の向上を図ることができる。
【００３５】
図６は実施例２の個別の使用量が記載された帳票を示す説明図である。
実施例２の帳票２１の個別使用量欄２６には、エアコンの１群（Ｍ）、電気温水器（Ｏ）、電子レンジ（Ｐ）、冷蔵庫（Ｑ）のような季節に応じて電気使用量が極端に変化する家電製品毎の個別の電気使用量を記載した。この帳票２１における個別使用量欄２６にも、それぞれ「今月の指示数」、「前月の指示数」及び「使用量」が記載されている。なお、この帳票２１は記載例の一例であり、この記載内容に限定されない。
【実施例３】
【００３６】
更に、実施例３の分電用遮断器３は、個々のエアコン毎、電気温水器、電子レンジ、冷蔵庫、１居室内の照明灯、１居室内のコンセント群のように細かく分けて家電製品毎の検知をする共に、それぞれの個別計量器４で電気使用量を個別に計量することができる（図示していない）。個々の家電製品について計量することにより、より詳細な個別の使用量を把握することができる。
【００３７】
実施例３の帳票２１は、個別使用量欄２６に、個々のエアコン毎、電気温水器、電子レンジ、冷蔵庫、１居室内の照明灯と１居室内のコンセント群のように細かく分けて家電製品毎の個別の電気使用量を記載する。例えば「今月の指示数」、「前月の指示数」及び「使用量」を記載する
【００３８】
なお、本発明は上述した発明の実施の形態に限定されず、家電製品毎に電気の使用量を計量することで、どの家電製品が前月より多く使用され、又は無駄な使用がされているかどうかを詳細に把握することができ、その内容を帳票２１に表示することで、需要家が節電意識の向上を図ることができる構成であれば、図示したような構成に限定されず、本発明の要旨を逸脱しない範囲で種々変更できることは勿論である。
【産業上の利用可能性】
【００３９】
本発明の個別計量機能を備えた分電盤及び個別の使用量が記載された帳票は、家庭用分電盤に利用するだけでなく、店舗等の業務用の分電盤においても利用することができる。
【符号の説明】
【００４０】
１  分電盤
２  主遮断器
３  分電用遮断器
４  個別計量器
５  電力量計
６  発信機
７  計器ボックス
８  受信機
２１  帳票
２２  需要家の氏名、名称等の情報
２３  契約番号・契約種別
２４  全体使用量欄（電気使用量・請求予定額）
２５  前月の領収金額
２６  個別使用量欄
【図１】
2011055565.tif 000003
【図２】
2011055565.tif 000004
【図３】
2011055565.tif 000005
【図４】
2011055565.tif 000006
【図５】
2011055565.tif 000007
【図６】
2011055565.tif 000008
【図７】
2011055565.tif 000009
【図８】
2011055565.tif 000010